(57)【要約】  本発明はファイルのアップロード及びダウンロードの方法並びに装置を開示しており、コンピュータの技術分野に属する。ファイルアップロード方法は、ユーザーによってドラッグが停止されたローカルファイルがネットワークフォルダーのアクティブ領域に入るかどうかを判断するステップと、ＹＥＳであると、該ユーザーに該ローカルファイルを該ネットワークフォルダーにアップロードすることを確認するかどうかの選択を提示するステップと、該ユーザーが提示に基づいて選択したアップロード確認情報を受信すると、該ローカルファイルを該ネットワークフォルダーにアップロードするステップと、を含む。ファイルダウンロード方法は、ユーザーによってドラッグが停止されたネットワークファイルがローカルフォルダーのアクティブ領域に入るかどうかを判断するステップと、ＹＥＳであると、該ユーザーに該ネットワークファイルを該ローカルフォルダーにダウンロードすることを確認するかどうかの選択を提示するステップと、該ユーザーが提示に基づいて選択したダウンロード確認情報を受信すると、該ネットワークファイルを該ローカルフォルダーにダウンロードするステップと、を含む。本発明によれば、ユーザーは１回のドラッグだけでアップロード又はダウンロードタスクを完成させることができ、ユーザーの応答を必要とするステップがさらに少なくなり、より効率的になる。
2014519128.tif 000002
【特許請求の範囲】
【請求項１】
タッチパネルを備えたモバイル多機能デバイスに適用されるファイルアップロード方法であって、
ユーザーによってドラッグが停止されたローカルファイルがネットワークフォルダーのアクティブ領域に入るかどうかを判断するステップと、
ＹＥＳであると、前記ユーザーに前記ローカルファイルを前記ネットワークフォルダーにアップロードすることを確認するかどうかの選択を提示するステップと、
前記ユーザーが前記提示に基づいて選択したアップロード確認情報を受信すると、前記ローカルファイルを前記ネットワークフォルダーにアップロードするステップと、を含むことを特徴とするファイルアップロード方法。
【請求項２】
ユーザーによってドラッグが停止されたローカルファイルがネットワークフォルダーのアクティブ領域に入るかどうかを判断する前に、
前記ローカルファイルがタッチパネルで前記ユーザーによって長押しされているかどうかを判断するステップと、
ＹＥＳであると、前記ローカルファイルが前記ユーザーにドラッグジェスチャーでドラッグされる時、前記ユーザーに押されていたタッチパネルからタッチが離れたかどうかを判断するステップと、
ＹＥＳであると、前記のユーザーによってドラッグが停止されたローカルファイルがネットワークフォルダーのアクティブ領域に入るかどうかを判断するステップを実行するステップと、をさらに含むことを特徴とする請求項１に記載の方法。
【請求項３】
前記ユーザーに押されていたタッチパネルからタッチが離れたと判断すると、前記ローカルファイルのサムネイルをフローティング動画で表示するステップをさらに含むことを特徴とする請求項２に記載の方法。
【請求項４】
ユーザーによってドラッグが停止されたローカルファイルがネットワークフォルダーのアクティブ領域に入っていないと判断する、或いは、前記ユーザーが前記提示に基づいて選択したアップロード取り消し情報を受信すると、前記ローカルファイルを元の位置に復帰させるステップをさらに含むことを特徴とする請求項１に記載の方法。
【請求項５】
タッチパネルを備えたモバイル多機能デバイスに適用されるファイルアップロード装置であって、
ユーザーによってドラッグが停止されたローカルファイルがネットワークフォルダーのアクティブ領域に入るかどうかを判断するための第１判断モジュールと、
前記第１判断モジュールがユーザーによってドラッグが停止されたローカルファイルがネットワークフォルダーのアクティブ領域に入ったと判断すると、前記ユーザーに前記ローカルファイルを前記ネットワークフォルダーにアップロードすることを確認するかどうかの選択を提示するための提示モジュールと、
前記ユーザーが前記提示モジュールの提示に基づいて選択したアップロード確認情報を受信すると、前記ローカルファイルを前記ネットワークフォルダーにアップロードするためのアップロードモジュールと、を備えることを特徴とするファイルアップロード装置。
【請求項６】
前記第１判断モジュールがユーザーによってドラッグが停止されたローカルファイルがネットワークフォルダーのアクティブ領域に入るかどうかを判断する前に、前記ローカルファイルがタッチパネルで前記ユーザーによって長押しされているかどうかを判断するための第２判断モジュールと、
前記第２判断モジュールが前記ローカルファイルがタッチパネルで前記ユーザーによって長押しされていると判断すると、前記ローカルファイルが前記ユーザーにドラッグジェスチャーでドラッグされる時、前記ユーザーに押されていたタッチパネルからタッチが離れたかどうかを判断し、ＹＥＳであると、前記第１判断モジュールを実行するための第３判断モジュールと、をさらに備えることを特徴とする請求項５に記載の装置。
【請求項７】
前記第３判断モジュールが前記ユーザーに押されていたタッチパネルからタッチが離れたと判断すると、前記ローカルファイルのサムネイルをフローティング動画で表示するための表示モジュールをさらに備えることを特徴とする請求項６に記載の装置。
【請求項８】
前記第１判断モジュールがユーザーによってドラッグが停止されたローカルファイルがネットワークフォルダーのアクティブ領域に入っていないと判断する、或いは、前記ユーザーが前記提示モジュールの提示に基づいて選択したアップロード取り消し情報を受信すると、前記ローカルファイルを元の位置に復帰させるための復帰モジュールをさらに備えることを特徴とする請求項５に記載の装置。
【請求項９】
タッチパネルを備えたモバイル多機能デバイスに用いられるファイルダウンロード方法であって、
ユーザーによってドラッグが停止されたネットワークファイルがローカルフォルダーのアクティブ領域に入るかどうかを判断するステップと、
ＹＥＳであると、前記ユーザーに前記ネットワークファイルを前記ローカルフォルダーにダウンロードすることを確認するかどうかの選択を提示するステップと、
前記ユーザーが前記提示に基づいて選択したダウンロード確認情報を受信すると、前記ネットワークファイルを前記ローカルフォルダーにダウンロードするステップと、を含むことを特徴とするファイルダウンロード方法。
【請求項１０】
ユーザーによってドラッグが停止されたネットワークファイルがローカルフォルダーのアクティブ領域に入るかどうかを判断する前に、
前記ネットワークファイルがタッチパネルで前記ユーザーによって長押しされているかどうかを判断するステップと、
ＹＥＳであると、前記ネットワークファイルが前記ユーザーにドラッグジェスチャーでドラッグされる時、前記ユーザーに押されていたタッチパネルからタッチが離れたかどうかを判断するステップと、
ＹＥＳであると、前記のユーザーによってドラッグが停止されたネットワークファイルがローカルフォルダーのアクティブ領域に入るかどうかを判断するステップを実行するステップと、をさらに含むことを特徴とする請求項９に記載の方法。
【請求項１１】
前記ユーザーに押されていたタッチパネルからタッチが離れたと判断すると、前記ネットワークファイルのサムネイルをフローティング動画で表示するステップをさらに含むことを特徴とする請求項１０に記載の方法。
【請求項１２】
ユーザーによってドラッグが停止されたネットワークファイルがローカルフォルダーのアクティブ領域に入っていないと判断する、或いは、前記ユーザーが前記提示に基づいて選択したダウンロード取り消し情報を受信すると、前記ネットワークファイルを元の位置に復帰させるステップをさらに含むことを特徴とする請求項９に記載の方法。
【請求項１３】
タッチパネルを備えたモバイル多機能デバイスに用いられるファイルダウンロード装置であって、
ユーザーによってドラッグが停止されたネットワークファイルがローカルフォルダーのアクティブ領域に入るかどうかを判断するための第１判断モジュールと、
前記第１判断モジュールがユーザーによってドラッグが停止されたネットワークファイルがローカルフォルダーのアクティブ領域に入ったと判断すると、前記ユーザーに前記ネットワークファイルを前記ローカルフォルダーにダウンロードすることを確認するかどうかの選択を提示するための提示モジュールと、
前記ユーザーが前記提示モジュールの提示に基づいて選択したダウンロード確認情報を受信すると、前記ネットワークファイルを前記ローカルフォルダーにダウンロードするためのダウンロードモジュールと、を備えることを特徴とするファイルダウンロード装置。
【請求項１４】
前記第１判断モジュールがユーザーによってドラッグが停止されたネットワークファイルがローカルフォルダーのアクティブ領域に入るかどうかを判断する前に、前記ネットワークファイルがタッチパネルで前記ユーザーによって長押しされているかどうかを判断するための第２判断モジュールと、
前記第２判断モジュールは前記ネットワークファイルがタッチパネルで前記ユーザーによって長押しされていると判断すると、前記ネットワークファイルが前記ユーザーにドラッグジェスチャーでドラッグされる時、前記ユーザーに押されていたタッチパネルからタッチが離れたかどうかを判断し、ＹＥＳであると、前記第１判断モジュールを実行するための第３判断モジュールと、をさらに備えることを特徴とする請求項１３に記載の装置。
【請求項１５】
前記第３判断モジュールは前記ユーザーに押されていたタッチパネルからタッチが離れたと判断すると、前記ネットワークファイルのサムネイルをフローティング動画で表示するための表示モジュールをさらに備えることを特徴とする請求項１４に記載の装置。
【請求項１６】
前記第１判断モジュールがユーザーによってドラッグが停止されたネットワークファイルがローカルフォルダーのアクティブ領域に入っていないと判断する、或いは、前記ユーザーが前記提示モジュールの提示に基づいて選択したダウンロード取り消し情報を受信すると、前記ネットワークファイルを元の位置に復帰させるための復帰モジュールをさらに備えることを特徴とする請求項１３に記載の装置。
【発明の詳細な説明】
【技術分野】
【０００１】
本発明はコンピュータの技術分野に関し、特にファイルのアップロード及びダウンロードの方法並びに装置に関する。
【背景技術】
【０００２】
タブレットパソコンは小型で、携帯性に優れたパソコンであり、通常、マウスとキーボードが無く、タッチパネルで基本的な入力と操作を行う。タブレットパソコンはインターネットの閲覧、電子メールの送受信、電子ブックの閲覧、オーディオ又はビデオの再生、写真閲覧等の機能を提供する。ｉＰａｄ等は普通のタブレットパソコンである。
【０００３】
従来、ｉＰａｄ等のタブレットパソコンによるファイルのアップロード及びダウンロードはいずれも片方向である。例えば、ｉＰａｄによってウェブアルバムから写真をダウンロードする時、ダウンロードしようとする写真を開き、写真を長押しし、「ダウンロード」ボタンがポップアップし、「ダウンロード」ボタンをクリックした後、ローカル保存パスを選択し、該保存パスに保存し、ダウンロードを完成させなければならない。ｉＰａｄにおけるローカル写真をウェブアルバムにアップロードする必要がある時、ウェブアルバムの「アップロード」ボタンをクリックし、その後、ローカル写真の保存パスによってローカル写真を見け、アップロードしようとするローカル写真を選択してアップロードしなければならない。
【発明の概要】
【発明が解決しようとする課題】
【０００４】
本発明の実現過程において、発明者は、従来技術には少なくとも、従来技術におけるタブレットパソコンがファイルをアップロード及びダウンロードする時、タブレットパソコンに特有なジェスチャーインタラクション優位性を十分に利用せず、操作が直観的ではなく、ユーザーの応答を必要とするステップが比較的多く、アップロード及びダウンロードタスクの完成に時間がかかる問題が存在することを発見した。
【課題を解決するための手段】
【０００５】
本発明の実施例はファイルのアップロード及びダウンロードの方法並びに装置を提供し、アップロード及びダウンロードタスクの完成に必要な時間を減少させる。前記技術案は下記の通りである。
【０００６】
一方では、ファイルアップロード方法を提供し、前記方法は、
ユーザーによってドラッグが停止されたローカルファイルがネットワークフォルダーのアクティブ領域に入るかどうかを判断するステップと、
ＹＥＳであると、前記ユーザーに前記ローカルファイルを前記ネットワークフォルダーにアップロードすることを確認するかどうかの選択を提示するステップと、
前記ユーザーが前記提示に基づいて選択したアップロード確認情報を受信すると、前記ローカルファイルを前記ネットワークフォルダーにアップロードするステップと、を含む。
【０００７】
さらには、ユーザーによってドラッグが停止されたローカルファイルがネットワークフォルダーのアクティブ領域に入るかどうかを判断する前に、
前記ローカルファイルがタッチパネルで前記ユーザーによって長押しされているかどうかを判断するステップと、
ＹＥＳであると、前記ローカルファイルが前記ユーザーにドラッグジェスチャーでドラッグされる時、前記ユーザーに押されていたタッチパネルからタッチが離れたかどうかを判断するステップと、
ＹＥＳであると、前記のユーザーによってドラッグが停止されたローカルファイルがネットワークフォルダーのアクティブ領域に入るかどうかを判断するステップを実行するステップと、をさらに含んでもよい。
【０００８】
好ましくは、前記方法はさらに、  前記ユーザーに押されていたタッチパネルからタッチが離れたと判断すると、前記ローカルファイルのサムネイルをフローティング動画で表示するステップを含んでもよい。
【０００９】
好ましくは、前記方法はさらに、  ユーザーによってドラッグが停止されたローカルファイルがネットワークフォルダーのアクティブ領域に入っていないと判断する、或いは、前記ユーザーが前記提示に基づいて選択したアップロード取り消し情報を受信すると、前記ローカルファイルを元の位置に復帰させるステップを含んでもよい。
【００１０】
他方では、ファイルアップロード装置を提供し、前記装置は、
ユーザーによってドラッグが停止されたローカルファイルがネットワークフォルダーのアクティブ領域に入るかどうかを判断するための第１判断モジュールと、
前記第１判断モジュールがユーザーによってドラッグが停止されたローカルファイルがネットワークフォルダーのアクティブ領域に入ったと判断すると、前記ユーザーに前記ローカルファイルを前記ネットワークフォルダーにアップロードすることを確認するかどうかの選択を提示するための提示モジュールと、
前記ユーザーが前記提示モジュールの提示に基づいて選択したアップロード確認情報を受信すると、前記ローカルファイルを前記ネットワークフォルダーにアップロードするためのアップロードモジュールと、を備える。
【００１１】
さらには、前記装置はさらに、
前記第１判断モジュールがユーザーによってドラッグが停止されたローカルファイルがネットワークフォルダーのアクティブ領域に入るかどうかを判断する前に、前記ローカルファイルがタッチパネルで前記ユーザーによって長押しされているかどうかを判断するための第２判断モジュールと、
前記第２判断モジュールは前記ローカルファイルがタッチパネルで前記ユーザーによって長押しされていると判断すると、前記ローカルファイルが前記ユーザーにドラッグジェスチャーでドラッグされる時、前記ユーザーに押されていたタッチパネルからタッチが離れたかどうかを判断し、ＹＥＳであると、前記第１判断モジュールを実行するための第３判断モジュールと、を備える。
【００１２】
好ましくは、前記装置はさらに、  前記第３判断モジュールは前記ユーザーに押されていたタッチパネルからタッチが離れたと判断すると、前記ローカルファイルのサムネイルをフローティング動画で表示するための表示モジュールを備えてもよい。
【００１３】
好ましくは、前記装置はさらに、  前記第１判断モジュールがユーザーによってドラッグが停止されたローカルファイルがネットワークフォルダーのアクティブ領域に入っていないと判断する、或いは、前記ユーザーが前記提示モジュールの提示に基づいて選択したアップロード取り消し情報を受信すると、前記ローカルファイルを元の位置に復帰させるための復帰モジュールを備えてもよい。
【００１４】
一方では、ファイルダウンロード方法をさらに提供し、前記方法は、
ユーザーによってドラッグが停止されたネットワークファイルがローカルフォルダーのアクティブ領域に入るかどうかを判断するステップと、
ＹＥＳであると、前記ユーザーに前記ネットワークファイルを前記ローカルフォルダーにダウンロードすることを確認するかどうかの選択を提示するステップと、
前記ユーザーが前記提示に基づいて選択したダウンロード確認情報を受信すると、前記ネットワークファイルを前記ローカルフォルダーにダウンロードするステップと、を含む。
【００１５】
さらには、ユーザーによってドラッグが停止されたネットワークファイルがローカルフォルダーのアクティブ領域に入るかどうかを判断する前に、
前記ネットワークファイルがタッチパネルで前記ユーザーによって長押しされているかどうかを判断するステップと、
ＹＥＳであると、前記ネットワークファイルが前記ユーザーにドラッグジェスチャーでドラッグされる時、前記ユーザーに押されていたタッチパネルからタッチが離れたかどうかを判断するステップと、
ＹＥＳであると、前記のユーザーによってドラッグが停止されたネットワークファイルがローカルフォルダーのアクティブ領域に入るかどうかを判断するステップを実行するステップと、をさらに含む。
【００１６】
好ましくは、前記方法はさらに、  前記ユーザーに押されていたタッチパネルからタッチが離れたと判断すると、前記ネットワークファイルのサムネイルをフローティング動画で表示するステップを含んでもよい。
【００１７】
好ましくは、前記方法はさらに、  ユーザーによってドラッグが停止されたネットワークファイルがローカルフォルダーのアクティブ領域に入っていないと判断する、或いは、前記ユーザーが前記提示に基づいて選択したダウンロード取り消し情報を受信すると、前記ネットワークファイルを元の位置に復帰させるステップを含んでもよい。
【００１８】
他方では、ファイルダウンロード装置をさらに提供し、前記装置は、
ユーザーによってドラッグが停止されたネットワークファイルがローカルフォルダーのアクティブ領域に入るかどうかを判断するための第１判断モジュールと、
前記第１判断モジュールがユーザーによってドラッグが停止されたネットワークファイルがローカルフォルダーのアクティブ領域に入ったと判断すると、前記ユーザーに前記ネットワークファイルを前記ローカルフォルダーにダウンロードすることを確認するかどうかの選択を提示するための提示モジュールと、
前記ユーザーが前記提示モジュールの提示に基づいて選択したダウンロード確認情報を受信すると、前記ネットワークファイルを前記ローカルフォルダーにダウンロードするためのダウンロードモジュールと、を備える。
【００１９】
さらには、前記装置はさらに、  前記第１判断モジュールがユーザーによってドラッグが停止されたネットワークファイルがローカルフォルダーのアクティブ領域に入るかどうかを判断する前に、前記ネットワークファイルがタッチパネルで前記ユーザーによって長押しされているかどうかを判断するための第２判断モジュールと、
前記第２判断モジュールは前記ネットワークファイルがタッチパネルで前記ユーザーによって長押しされていると判断すると、前記ネットワークファイルが前記ユーザーにドラッグジェスチャーでドラッグされる時、前記ユーザーに押されていたタッチパネルからタッチが離れたかどうかを判断し、ＹＥＳであると、前記第１判断モジュールを実行するための第３判断モジュールと、を備える。
【００２０】
好ましくは、前記装置はさらに、  前記第３判断モジュールは前記ユーザーに押されていたタッチパネルからタッチが離れたと判断すると、前記ネットワークファイルのサムネイルをフローティング動画で表示するための表示モジュールを備えてもよい。
【００２１】
好ましくは、前記装置はさらに、  前記第１判断モジュールがユーザーによってドラッグが停止されたネットワークファイルがローカルフォルダーのアクティブ領域に入っていないと判断する、或いは、前記ユーザーが前記提示モジュールの提示に基づいて選択したダウンロード取り消し情報を受信すると、前記ネットワークファイルを元の位置に復帰させるための復帰モジュールを備えてもよい。
【発明の効果】
【００２２】
本発明の実施例に係る技術案は下記の有益な効果をもたらす。
【００２３】
ｉＰａｄ等のタブレットパソコンにおける常用の「長押し＋ドラッグ」ジェスチャーを用いることによって、ユーザーがファイルをローカルフォルダーとネットワークフォルダーとの両領域の間でドラッグし、さらにアップロードしようとするローカルファイルをネットワークフォルダーのアクティブ領域、又は、ダウンロードしようとするネットワークファイルをローカルフォルダーのアクティブ領域にドラッグし、ユーザーによって確認された後、アップロード又はダウンロードのタスクを完成させることができ、つまり、１回のドラッグだけでアップロード又はダウンロードのタスクを完成させることができ、従来技術におけるファイルのアップロード及びダウンロードに比べて、ユーザーの応答を必要とするステップが少なくなり、所要時間が短く、効率が高く、ユーザー体験を向上させ、「長押し＋ドラッグ」がｉＰａｄ等のタブレットパソコンの常用ジェスチャーであり、ユーザーが非常に身に付け易く、操作に便利である。
【図面の簡単な説明】
【００２４】
本発明の実施例に係る技術案をさらに明確に説明するために、以下、実施例の記述に必要な図面を簡単に説明し、勿論、以下の記述における図面は本発明のいくつかの実施例に過ぎないものであり、当業者にとって、創造的な作業をせずにこれらの図面に基づいてその他の図面を得ることができる。
【図１】本発明の実施例１に係るファイルアップロード方法のフローチャートである。
【図２】本発明の実施例２に係るファイルアップロード方法のフローチャートである。
【図３】本発明の実施例２に係るファイルアップロードのドラッグ模式図である。
【図４】本発明の実施例３に係るファイルアップロード装置の構造模式図である。
【図５】本発明の実施例３に係る別のファイルアップロード装置の構造模式図である。
【図６】本発明の実施例３に係る別のファイルアップロード装置の構造模式図である。
【図７】本発明の実施例３に係る別のファイルアップロード装置の構造模式図である。
【図８】本発明の実施例４に係るファイルダウンロード方法のフローチャートである。
【図９】本発明の実施例５に係るファイルダウンロード方法のフローチャートである。
【図１０】本発明の実施例５に係るファイルダウンロードのドラッグ模式図である。
【図１１】本発明の実施例６に係るファイルダウンロード装置の構造模式図である。
【図１２】本発明の実施例６に係る別のファイルダウンロード装置の構造模式図である。
【図１３】本発明の実施例６に係る別のファイルダウンロード装置の構造模式図である。
【図１４】本発明の実施例６に係る別のファイルダウンロード装置の構造模式図。
【発明を実施するための形態】
【００２５】
本発明の目的、技術案及びメリットをさらに明確にするために、以下、図面を参照しながら本発明の実施形態をさらに詳細に説明する。
【００２６】
実施例１
本発明の実施例はファイルアップロード方法を提供し、タッチパネルを備えたモバイル多機能デバイス、具体的に、例えば、ｉＰａｄ、ｉＰｈｏｎｅ等のようなタブレットパソコン、タッチパネル携帯電話等の装置に適用し、以下、本発明の実施例はタブレットパソコンを例として具体的に説明するが、それに限定されるものではない。図１を参照すると、方法のプロセスは、
タブレットパソコンはユーザーによってドラッグが停止されたローカルファイルがネットワークフォルダーのアクティブ領域に入るかどうかを判断し、ＹＥＳであると、ステップ１０２を実行し、ＮＯであると、プロセスが終了するステップ１０１と、
ユーザーによってドラッグが停止されたローカルファイルがネットワークフォルダーのアクティブ領域に入ると、該ユーザーに該ローカルファイルを該ネットワークフォルダーにアップロードすることを確認するかどうかの選択を提示するステップ１０２と、
該ユーザーが提示に基づいて選択したアップロード確認情報を受信すると、該ローカルファイルを該ネットワークフォルダーにアップロードするステップ１０３と、を含む。
【００２７】
本発明の実施例に係る方法によれば、ｉＰａｄ等のタブレットパソコンにおける常用の「ドラッグ」ジェスチャーを用いることによって、ユーザーは１回のドラッグで、アップロードしようとするローカルファイルをネットワークフォルダーのアクティブ領域にドラッグし、ユーザーがアップロードを確認した後、該ローカルファイルを該ネットワークフォルダーにアップロードするアップロードタスクを完成し、つまり、１回のドラッグだけでアップロードタスクを完成させることができ、従来技術におけるファイルアップロードに比べて、ユーザーの応答を必要とするステップが少なくなり、所要時間が短く、効率が高く、ユーザー体験を向上させる。
【００２８】
実施例２
本発明の実施例はファイルアップロード方法を提供し、タッチパネルを備えたモバイル多機能デバイス、例えば、ｉＰａｄ、ｉＰｈｏｎｅ等のようなタブレットパソコン、タッチパネル携帯電話等の装置に適用し、以下、本発明の実施例はタブレットパソコンを例として具体的に説明するが、それに限定されるものではない。図２を参照すると、方法のプロセスは、
タブレットパソコンはローカルファイルがタッチパネルでユーザーによって長押しされているかどうかを判断し、ＹＥＳであると、ステップ２０２を実行し、ＮＯであると、プロセスが終了するステップ２０１と、
ローカルファイルがタッチパネルでユーザーによって長押しされている時、該ローカルファイルが該ユーザーにドラッグジェスチャーでドラッグされることができるステップ２０２と、
該ローカルファイルが該ユーザーにドラッグジェスチャーでドラッグされる時、該ユーザーに押されていたタッチパネルからタッチが離れたかどうかを判断し、ＹＥＳであると、ステップ２０４を実行し、ＮＯであると、ステップ２０２を実行するステップ２０３と、
該ユーザーに押されていたタッチパネルからタッチが離れると、該ローカルファイルのサムネイルをフローティング動画で表示するステップ２０４と、
該ユーザーによってドラッグが停止された該ローカルファイルがネットワークフォルダーのアクティブ領域に入るかどうかを判断し、ＹＥＳであると、ステップ２０６を実行し、ＮＯであると、ステップ２０９を実行するステップ２０５と、
該ユーザーによってドラッグが停止された該ローカルファイルがネットワークフォルダーのアクティブ領域に入ると、該ユーザーに該ローカルファイルを該ネットワークフォルダーにアップロードすることを確認するかどうかの選択を提示するステップ２０６と、
該ユーザーが該提示に基づいて選択した結果を受信し、該結果がアップロード確認情報であるかどうかを判断し、ＹＥＳであると、ステップ２０８を実行し、ＮＯであると、ステップ２０９を実行するステップ２０７と、
該ユーザーが該提示に基づいて選択したアップロード確認情報を受信すると、該ローカルファイルを該ネットワークフォルダーにアップロードし、プロセスが終了するステップ２０８と、
ユーザーによってドラッグが停止されたローカルファイルがネットワークフォルダーのアクティブ領域に入っていないと判断する、或いは、該ユーザーが該提示に基づいて選択したアップロード取り消し情報を受信すると、該ローカルファイルを元の位置に復帰させ、プロセスが終了するステップ２０９と、を含む。
【００２９】
ステップ２０１において、タブレットパソコンのタッチパネルにおけるあるアイコンを長押しすることによってある操作を実現することは、ｉＰａｄ等のタブレットパソコンで用いられる常用ジェスチャーである。本実施例において、ローカルファイルはサムネイルの形式でタブレットパソコンで表示されることができ、ユーザーがローカルファイルを閲覧する時、ローカルファイルのサムネイルへの長押しイベントによって、該ローカルファイルをアクティブ、選択することができる。ローカルファイルはローカル写真、ローカルドキュメント、ローカルオーディオ及びローカルビデオ等であってもよい。
【００３０】
ステップ２０２において、具体的には、該ローカルファイルが長押しによってアクティブ、選択された後、ユーザーは該ローカルファイルを押し続け、ドラッグジェスチャーで該ローカルファイルをスライドさせ、該ローカルファイルをタッチパネル上で任意に移動させることができる。
【００３１】
ステップ２０３において、具体的には、タッチパネルからタッチが離れるイベントが発生するかどうか、すなわち、ユーザーの手がタッチパネルから離れるかどうかを判断し、ユーザーの手が離れると、該ローカルファイルを放すことを表し、該ローカルファイルの移動が停止する。
【００３２】
ステップ２０４において、具体的には、ユーザーが該ローカルファイルを放した後、該ローカルファイルのサムネイルがフローティング状態になる。
【００３３】
ステップ２０５において、具体的には、タブレットパソコンの同一インターフェースにいくつかのローカルフォルダーのファイルとネットワークフォルダーを同時に表示することができることによって、ユーザーはローカルフォルダーのファイルとネットワークフォルダーを同時にプレビューすることができる。
【００３４】
ネットワークフォルダーのアクティブ領域は具体的には、該ネットワークフォルダーを表示するための領域であってもよく、ユーザーによってドラッグが停止された該ローカルファイルと該ネットワークフォルダーが重なる時、該ローカルファイルが該ネットワークフォルダーのアクティブ領域に入ったと考えられ、さらに後続のアップロードプロセスをトリガーする。
【００３５】
例えば、図３に示すように、タブレットパソコンの同一インターフェースに閲覧中のローカルファイルと利用可能なネットワークフォルダーを同時に表示する。ユーザーは「長押し＋ドラッグ」ジェスチャーによってアップロードしようとするローカルファイルを相応のネットワークフォルダーにドラッグすることができ、図３に示すように、ユーザーがローカルファイル０５をネットワークフォルダー１にアップロードしようとすると、ローカルファイル０５を長押しし、そのままそれをネットワークフォルダー１のアクティブ領域にドラッグして放す。
【００３６】
ステップ２０６において、具体的には、タブレットパソコンは１つのアップロード提示用ダイアログボックスをポップアップし、ユーザーに該ローカルファイルを該ネットワークフォルダーにアップロードすることを確認するかどうかを提示し、ユーザーは確定又は取り消しを選択できる。  
【００３７】
ステップ２０７において、具体的には、ユーザーが確定を選択すると、アップロードを確認し、ユーザーが取り消しを選択すると、アップロードを取り消し、詳細は２０８及び２０９に示す。
【００３８】
ステップ２０８において、該ローカルファイルのアップロードを開始し、アップロードが終了した後、プロセスが終了する。
【００３９】
ステップ２０９において、具体的には、動画をスライドさせることによって、自動的に該ローカルファイルを元の位置にスライドさせながら戻し、プロセスが終了する。
【００４０】
なお、本発明の実施例におけるローカルファイルは具体的にローカル写真であってもよく、ネットワークフォルダーは具体的にウェブアルバムであってもよいが、それに限定されるものではない。
【００４１】
本発明の実施例に係る方法によれば、タブレットパソコンの同一インターフェースにローカルフォルダーのファイルとネットワークフォルダーを同時に表示することによって、ユーザーはローカルフォルダーのファイルとネットワークフォルダーを同時にプレビューすることができ、ユーザーのロケートに便利であり、ｉＰａｄ等のタブレットパソコンにおける常用の「長押し＋ドラッグ」ジェスチャーを用いることによって、ユーザーはドラッグの方式によってファイルをローカルフォルダーとネットワークフォルダーとの両領域の間で移動させ、さらにアップロードしようとするローカルファイルをネットワークフォルダーのアクティブ領域にドラッグし、ユーザーがアップロードを確認した後、該ローカルファイルを該ネットワークフォルダーにアップロードするアップロードタスクを完成させることができ、つまり、１回のドラッグだけでアップロードタスクを完成させることができ、従来技術におけるファイルアップロードに比べて、ユーザーの応答を必要とするステップが少なくなり、所要時間が短く、効率が高く、ユーザー体験を向上させ、「長押し＋ドラッグ」がｉＰａｄ等のタブレットパソコンの常用ジェスチャーであり、ユーザーが非常に身に付け易く、操作に便利である。
【００４２】
実施例３
本発明の実施例はファイルアップロード装置を提供し、図２に示すような方法を実現できる。該装置はタッチパネルを備えたモバイル多機能デバイス、具体的に例えば、ｉＰａｄ、ｉＰｈｏｎｅ等のようなタブレットパソコン、タッチパネル携帯電話等の装置に適用できる。図４を参照すると、該装置は、
ユーザーによってドラッグが停止されたローカルファイルがネットワークフォルダーのアクティブ領域に入るかどうかを判断するための第１判断モジュール４０１と、
第１判断モジュール４０１はユーザーによってドラッグが停止されたローカルファイルがネットワークフォルダーのアクティブ領域に入ったと判断すると、該ユーザーに該ローカルファイルを該ネットワークフォルダーにアップロードすることを確認するかどうかの選択を提示するための提示モジュール４０２と、
該ユーザーが提示モジュール４０２の提示に基づいて選択したアップロード確認情報を受信すると、該ローカルファイルを該ネットワークフォルダーにアップロードするためのアップロードモジュール４０３と、を備える。
【００４３】
具体的には、タブレットパソコンの同一インターフェースにいくつかのローカルフォルダーのファイルとネットワークフォルダーを同時に表示することができることによって、ユーザーはローカルフォルダーのファイルとネットワークフォルダーを同時にプレビューすることができる。
【００４４】
さらには、図５を参照すると、該装置はさらに、
第１判断モジュール４０１はユーザーによってドラッグが停止されたローカルファイルがネットワークフォルダーのアクティブ領域に入るかどうかを判断する前に、該ローカルファイルがタッチパネルでユーザーによって長押しされているかどうかを判断するための第２判断モジュール４０４と、
第２判断モジュール４０４は該ローカルファイルがタッチパネルでユーザーによって長押しされていると判断すると、該ローカルファイルが該ユーザーにドラッグジェスチャーでドラッグされる時、該ユーザーに押されていたタッチパネルからタッチが離れたかどうかを判断し、ＹＥＳであると、第１判断モジュール４０１を実行するための第３判断モジュール４０５と、を備える。
【００４５】
図６を参照すると、該装置はさらに、  第３判断モジュール４０５は該ユーザーに押されていたタッチパネルからタッチが離れたと判断すると、該ローカルファイルのサムネイルをフローティング動画で表示するための表示モジュール４０６を備えてもよい。
【００４６】
図７を参照すると、該装置はさらに、  第１判断モジュール４０１はユーザーによってドラッグが停止されたローカルファイルがネットワークフォルダーのアクティブ領域に入っていないと判断する、或いは、該ユーザーが提示モジュール４０２の提示に基づいて選択したアップロード取り消し情報を受信すると、該ローカルファイルを元の位置に復帰させるための復帰モジュール４０７を備えてもよい。
【００４７】
本発明の実施例に係る装置によれば、タブレットパソコンの同一インターフェースにローカルフォルダーのファイルとネットワークフォルダーを同時に表示することによって、ユーザーはローカルフォルダーのファイルとネットワークフォルダーを同時にプレビューすることができ、ユーザーのロケートに便利であり、ｉＰａｄ等のタブレットパソコンにおける常用の「長押し＋ドラッグ」ジェスチャーを用いることによって、ユーザーはドラッグの方式によってファイルをローカルフォルダーとネットワークフォルダーとの両領域の間で移動させ、さらにアップロードしようとするローカルファイルをネットワークフォルダーのアクティブ領域にドラッグし、ユーザーがアップロードを確認した後、該ローカルファイルを該ネットワークフォルダーにアップロードするアップロードタスクを完成させることができ、つまり、１回のドラッグだけでアップロードタスクを完成させることができ、従来技術におけるファイルアップロードに比べて、ユーザーの応答を必要とするステップが少なくなり、所要時間が短く、効率が高く、ユーザー体験を向上させ、「長押し＋ドラッグ」がｉＰａｄ等のタブレットパソコンの常用ジェスチャーであり、ユーザーが非常に身に付け易く、操作に便利である。
【００４８】
実施例４
本発明の実施例はファイルダウンロード方法を提供し、タッチパネルを備えたモバイル多機能デバイス、具体的に例えば、ｉＰａｄ、ｉＰｈｏｎｅ等のようなタブレットパソコン、タッチパネル携帯電話等の装置に適用し、以下、本発明の実施例はタブレットパソコンを例として具体的に説明するが、それに限定されるものではない。図８を参照すると、方法のプロセスは、
タブレットパソコンはユーザーによってドラッグが停止されたネットワークファイルがローカルフォルダーのアクティブ領域に入るかどうかを判断し、ＹＥＳであると、ステップ８０２を実行し、ＮＯであると、プロセスが終了するステップ８０１と、
ユーザーによってドラッグが停止されたネットワークファイルがローカルフォルダーのアクティブ領域に入ると、該ユーザーに該ネットワークファイルを該ローカルフォルダーにダウンロードすることを確認するかどうかの選択を提示するステップ８０２と、
該ユーザーが提示に基づいて選択したダウンロード確認情報を受信すると、該ネットワークファイルを該ローカルフォルダーにダウンロードするステップ８０３と、を含む。
【００４９】
本発明の実施例に係る方法によれば、ｉＰａｄ等のタブレットパソコンにおける常用の「ドラッグ」ジェスチャーを用いることによって、ユーザーは１回のドラッグによって、ダウンロードしようとするネットワークファイルをローカルフォルダーのアクティブ領域にドラッグし、ユーザーがダウンロードを確認した後、該ネットワークファイルを該ローカルフォルダーにダウンロードするダウンロードタスクを完成させることができ、つまり、１回のドラッグだけでダウンロードタスクを完成させることができ、従来技術におけるファイルダウンロードに比べて、ユーザーの応答を必要とするステップが少なくなり、所要時間が短く、効率が高く、ユーザー体験を向上させる。
【００５０】
実施例５
本発明の実施例はファイルダウンロード方法を提供し、タッチパネルを備えたモバイル多機能デバイス、具体的に例えば、ｉＰａｄ、ｉＰｈｏｎｅ等のようなタブレットパソコン、タッチパネル携帯電話等の装置に適用し、以下、本発明の実施例はタブレットパソコンを例として具体的に説明するが、それに限定されるものではない。図９を参照すると、方法のプロセスは、
タブレットパソコンはネットワークファイルがタッチパネルでユーザーによって長押しされているかどうかを判断し、ＹＥＳであると、ステップ９０２を実行し、ＮＯであると、プロセスが終了するステップ９０１と、
ネットワークファイルがタッチパネルでユーザーによって長押しされている時、該ネットワークファイルが該ユーザーにドラッグジェスチャーでドラッグされることができるステップ９０２と、
該ネットワークファイルが該ユーザーにドラッグジェスチャーでドラッグされる時、該ユーザーに押されていたタッチパネルからタッチが離れたかどうかを判断し、ＹＥＳであると、ステップ９０４を実行し、ＮＯであると、実行ステップ９０２を実行するステップ９０３と、
該ユーザーに押されていたタッチパネルからタッチが離れると、該ネットワークファイルのサムネイルをフローティング動画で表示するステップ９０４と、
該ユーザーによってドラッグが停止された該ネットワークファイルがローカルフォルダーのアクティブ領域に入るかどうかを判断し、ＹＥＳであると、ステップ９０６を実行し、ＮＯであると、ステップ９０９を実行するステップ９０５と、
該ユーザーによってドラッグが停止された該ネットワークファイルがローカルフォルダーのアクティブ領域に入ると、該ユーザーに該ネットワークファイルを該ローカルフォルダーにダウンロードすることを確認するかどうかの選択を提示するステップ９０６と、
該ユーザーが該提示に基づいて選択した結果を受信し、該結果がダウンロード確認情報であるかどうかを判断し、ＹＥＳであると、ステップ９０８を実行し、ＮＯであると、ステップ９０９を実行するステップ９０７と、
該ユーザーが該提示に基づいて選択したダウンロード確認情報を受信すると、該ネットワークファイルを該ローカルフォルダーにダウンロードし、プロセスが終了するステップ９０８と、
ユーザーによってドラッグが停止されたネットワークファイルがローカルフォルダーのアクティブ領域に入っていないと判断する、或いは、該ユーザーが該提示に基づいて選択したダウンロード取り消し情報を受信すると、該ネットワークファイルを元の位置に復帰させ、プロセスが終了するステップ９０９と、を含む。
【００５１】
ステップ９０１において、タブレットパソコンのタッチパネルにおけるあるアイコンを長押しすることによってある操作を実現することは、ｉＰａｄ等のタブレットパソコンで用いられる常用ジェスチャーである。本実施例において、ネットワークファイルはサムネイルの形式でタブレットパソコンで表示されることができ、ユーザーがネットワークファイルを閲覧する時、ネットワークファイルのサムネイルへの長押しイベントによって、該ネットワークファイルをアクティブ、選択することができる。ネットワークファイルはウェブアルバム写真、ネットワークハードディスクにおけるドキュメント、オーディオ及びビデオ等であってもよい。
【００５２】
ステップ９０２において、具体的には、該ネットワークファイルが長押しによってアクティブ、選択された後、ユーザーは該ネットワークファイルを押し続け、ドラッグジェスチャーで該ネットワークファイルをスライドさせ、該ネットワークファイルをタッチパネル上で任意に移動させることができる。
【００５３】
ステップ９０３において、具体的には、タッチパネルからタッチが離れるイベントが発生するかどうか、すなわち、ユーザーの手がタッチパネルから離れるかどうかを判断し、ユーザーの手が離れると、該ネットワークファイルを放すことを表し、該ネットワークファイルの移動が停止する。
【００５４】
ステップ９０４において、具体的には、ユーザーが該ネットワークファイルを放した後、該ネットワークファイルのサムネイルがフローティング状態になる。
【００５５】
ステップ９０５において、具体的には、タブレットパソコンの同一インターフェースにいくつかのネットワークファイルとローカルフォルダーを同時に表示することができることによって、ユーザーはいくつかのネットワークファイルとローカルフォルダーを同時にプレビューすることができる。
【００５６】
ローカルフォルダーのアクティブ領域は具体的には、該ローカルフォルダーを表示するための領域であってもよく、ユーザーによってドラッグが停止された該ネットワークファイルと該ローカルフォルダーが重なる時、該ネットワークファイルが該ローカルフォルダーのアクティブ領域に入ったと考えられ、さらに後続のダウンロードプロセスをトリガーする。
【００５７】
例えば、図１０に示すように、タブレットパソコンの同一インターフェースに閲覧中のネットワークファイルと利用可能なローカルフォルダーを同時に表示する。ユーザーは「長押し＋ドラッグ」ジェスチャーによってダウンロードしようとするネットワークファイルを相応のローカルフォルダーにドラッグすることができ、図１０に示すように、ユーザーがネットワークファイル０５をローカルフォルダー１にダウンロードしようとすると、ネットワークファイル０５を長押しし、そのままそれをローカルフォルダー１のアクティブ領域にドラッグして放す。
【００５８】
ステップ９０６において、具体的には、タブレットパソコンは１つのダウンロード提示用ダイアログボックスをポップアップし、ユーザーに該ネットワークファイルを該ローカルフォルダーにダウンロードすることを確認するかどうかを提示し、ユーザーは確定又は取り消しを選択できる。
【００５９】
ステップ９０７において、具体的には、ユーザーが確定を選択すると、ダウンロードを確認し、ユーザーが取り消しを選択すると、ダウンロードを取り消しし、詳細は９０８及び９０９に示す。
【００６０】
ステップ９０８において、該ネットワークファイルのダウンロードを開始し、ダウンロードが終了した後、プロセスが終了する。
【００６１】
ステップ９０９において、具体的には、動画をスライドさせることによって、自動的に該ネットワークファイルを元の位置にスライドさせながら戻し、プロセスが終了する。
【００６２】
なお、本発明の実施例におけるネットワークファイルは具体的にウェブアルバム写真であってもよく、ローカルフォルダーは具体的にローカルアルバムであってもよいが、それに限定されるものではない。
【００６３】
本発明の実施例に係る方法によれば、タブレットパソコンの同一インターフェースにネットワークファイルとローカルフォルダーを同時に表示することによって、ユーザーはネットワークファイルとローカルフォルダーを同時にプレビューすることができ、ユーザーのロケートに便利であり、ｉＰａｄ等のタブレットパソコンにおける常用の「長押し＋ドラッグ」ジェスチャーを用いることによって、ユーザーはドラッグの方式によってファイルをネットワークフォルダーとローカルフォルダーとの両領域の間で移動させ、さらにダウンロードしようとするネットワークファイルをローカルフォルダーのアクティブ領域にドラッグし、ユーザーがダウンロードを確認した後、該ネットワークファイルを該ローカルフォルダーにダウンロードするダウンロードタスクを完成させることができ、つまり、１回のドラッグだけでダウンロードタスクを完成させることができ、従来技術におけるファイルダウンロードに比べて、ユーザーの応答を必要とするステップが少なくなり、所要時間が短く、効率が高く、ユーザー体験を向上させ、「長押し＋ドラッグ」がｉＰａｄ等のタブレットパソコンの常用ジェスチャーであり、ユーザーが非常に身に付け易く、操作に便利である。
【００６４】
実施例６
本発明の実施例はファイルダウンロード装置を提供し、図９に示すような方法を実現できる。該装置はタッチパネルを備えたモバイル多機能デバイス、具体的に例えば、ｉＰａｄ、ｉＰｈｏｎｅ等のようなタブレットパソコン、タッチパネル携帯電話等の装置に適用できる。図１１を参照すると、該装置は、
ユーザーによってドラッグが停止されたネットワークファイルがローカルフォルダーのアクティブ領域に入るかどうかを判断するための第１判断モジュール１１０１と、
第１判断モジュール１１０１はユーザーによってドラッグが停止されたネットワークファイルがローカルフォルダーのアクティブ領域に入ったと判断すると、該ユーザーに該ネットワークファイルを該ローカルフォルダーにダウンロードすることを確認するかどうかの選択を提示するための提示モジュール１１０２と、
該ユーザーが提示モジュール１１０２の提示に基づいて選択したダウンロード確認情報を受信すると、該ネットワークファイルを該ローカルフォルダーにダウンロードするためのダウンロードモジュール１１０３と、を備える。
【００６５】
具体的には、タブレットパソコンの同一インターフェースにいくつかのネットワークファイルとローカルフォルダーを同時に表示することができることによって、ユーザーはいくつかのネットワークファイルとローカルフォルダーを同時にプレビューすることができる。
【００６６】
さらには、図１２を参照すると、該装置はさらに、
第１判断モジュール１１０１はユーザーによってドラッグが停止されたネットワークファイルがローカルフォルダーのアクティブ領域に入るかどうかを判断する前に、該ネットワークファイルがタッチパネルでユーザーによって長押しされているかどうかを判断するための第２判断モジュール１１０４と、
第２判断モジュール１１０４は該ネットワークファイルがタッチパネルでユーザーによって長押しされていると判断すると、該ネットワークファイルが該ユーザーにドラッグジェスチャーでドラッグされる時、該ユーザーに押されていたタッチパネルからタッチが離れたかどうかを判断し、ＹＥＳであると、第１判断モジュール１１０１を実行するための第３判断モジュール１１０５と、を備える。
【００６７】
図１３を参照すると、該装置はさらに、  第３判断モジュール１１０５は該ユーザーに押されていたタッチパネルからタッチが離れたと判断すると、該ネットワークファイルのサムネイルをフローティング動画で表示するための表示モジュール１１０６を備えてもよい。
【００６８】
図１４を参照すると、該装置はさらに、  第１判断モジュール１１０１はユーザーによってドラッグが停止されたネットワークファイルがローカルフォルダーのアクティブ領域に入っていないと判断する、或いは、該ユーザーが提示モジュール１１０２の提示に基づいて選択したダウンロード取り消し情報を受信すると、該ネットワークファイルを元の位置に復帰させるための復帰モジュール１１０７を備えてもよい。
【００６９】
本発明の実施例に係る装置によれば、タブレットパソコンの同一インターフェースにネットワークファイルとローカルフォルダーを同時に表示することによって、ユーザーはネットワークファイルとローカルフォルダーを同時にプレビューすることができ、ユーザーのロケートに便利であり、ｉＰａｄ等のタブレットパソコンにおける常用の「長押し＋ドラッグ」ジェスチャーを用いることによって、ユーザーはドラッグの方式によってファイルをネットワークフォルダーとローカルフォルダーとの両領域の間で移動させ、さらにダウンロードしようとするネットワークファイルをローカルフォルダーのアクティブ領域にドラッグし、ユーザーがダウンロードを確認した後、該ネットワークファイルを該ローカルフォルダーにダウンロードするダウンロードタスクを完成させることができ、つまり、１回のドラッグだけでダウンロードタスクを完成させることができ、従来技術におけるファイルダウンロードに比べて、ユーザーの応答を必要とするステップが少なくなり、所要時間が短く、効率が高く、ユーザー体験を向上させ、「長押し＋ドラッグ」がｉＰａｄ等のタブレットパソコンの常用ジェスチャーであり、ユーザーが非常に身に付け易く、操作に便利である。
【００７０】
なお、上記実施例に係るファイルのアップロード及びダウンロードの装置はファイルをアップロード及びダウンロードする時、上記各機能モジュールの画定のみで例を挙げて説明を行ったが、実際の応用において、必要に応じて上記機能を異なる機能モジュールに配分して完成させてもよく、すなわち、上記するような機能のすべて又は一部を完成するように、装置の内部構造を異なる機能モジュールに画定する。また、上記実施例に係るファイルのアップロード及びダウンロードの装置とファイルのアップロード及びダウンロードの方法の実施例は同一の発想に属し、その具体的な実現過程の詳細は方法の実施例を参照し、ここでは重複説明を省略する。
【００７１】
上記本発明の実施例の番号は記述用のものに過ぎず、実施例の優劣を表すものではない。
【００７２】
当業者は、上記実施例を実現するすべて又は一部のステップがハードウェアによって完成されてもよく、プログラムで関連のハードウェアに対して命令を出して完成させてもよく、上記プログラムがコンピューターの可読記憶媒体、例えば読み出し専用メモリ、磁気ディスク或いは光ディスク等に記憶できると理解可能である。
【００７３】
上記記述は本発明の好ましい実施例に過ぎず、本発明を限定するものではなく、本発明の趣旨と原則を逸脱せずに行う任意の変更、等価置換、改良等は、いずれも本発明の保護範囲に含まれる。
【産業上の実用性】
【００７４】
本発明はｉＰａｄ等のタブレットパソコンにおける常用の「長押し＋ドラッグ」ジェスチャーを用いることによって、ユーザーがファイルをドラッグしてローカルフォルダーとネットワークフォルダーとの両領域の間で移動させ、さらにアップロードしようとするローカルファイルをネットワークフォルダーのアクティブ領域、又は、ダウンロードしようとするネットワークファイルをローカルフォルダーのアクティブ領域にドラッグし、ユーザーによって確認された後、アップロード又はダウンロードのタスクを完成させることができ、つまり、１回のドラッグだけでアップロード又はダウンロードのタスクを完成させることができ、従来技術におけるファイルのアップロード及びダウンロードに比べて、ユーザーの応答を必要とするステップが少なくなり、所要時間が短く、効率が高く、ユーザー体験を向上させ、「長押し＋ドラッグ」がｉＰａｄ等のタブレットパソコンの常用ジェスチャーであり、ユーザーが非常に身に付け易く、操作に便利である。
【図１】
2014519128.tif 000003
【図２】
2014519128.tif 000004
【図３】
2014519128.tif 000005
【図４】
2014519128.tif 000006
【図５】
2014519128.tif 000007
【図６】
2014519128.tif 000008
【図７】
2014519128.tif 000009
【図８】
2014519128.tif 000010
【図９】
2014519128.tif 000011
【図１０】
2014519128.tif 000012
【図１１】
2014519128.tif 000013
【図１２】
2014519128.tif 000014
【図１３】
2014519128.tif 000015
【図１４】
2014519128.tif 000016
【国際調査報告】
2014519128.tif 000017
2014519128.tif 000018
2014519128.tif 000019
2014519128.tif 000020